(57)【要約】【課題】訴求効果の高いコンテンツを抽出する精度を向上させること。【解決手段】本願に係る抽出装置は、取得部と、抽出部とを備える。取得部は、ユーザに関する情報のうち、通信ネットワークを介して提供される商取引サービスにおいて、当該特定の商材がユーザから購入されたか否かの結果を示す行動履歴を取得する。抽出部は、取得部により取得されたユーザの行動履歴に基づいて、ユーザに配信される所定のコンテンツを抽出する。例えば、抽出部は、ユーザの行動履歴から抽出される情報と、コンテンツに設定されるコンテンツ情報とに基づいて、ユーザに配信される所定のコンテンツを抽出する。【選択図】図１
2018088282.tif 000002
【特許請求の範囲】
【請求項１】
ユーザに関する情報のうち、通信ネットワークを介して提供される商取引サービスにおいて、特定の商材がユーザから購入されたか否かの結果を示す行動履歴を取得する取得部と、
前記取得部により取得された前記ユーザの行動履歴に基づいて、前記ユーザに配信される所定のコンテンツを抽出する抽出部と、
を備えたことを特徴とする抽出装置。
【請求項２】
ユーザに関する情報のうち、通信ネットワークを介して提供される商取引サービスにおけるユーザの行動履歴として、当該ユーザが商材の購入に至るまでの段階を示す情報を取得する取得部と、
前記取得部により取得された、前記ユーザが商材の購入に至るまでの段階を示す情報に基づいて、前記ユーザに配信される所定のコンテンツを抽出する抽出部と、
を備えたことを特徴とする抽出装置。
【請求項３】
前記取得部は、
前記商取引サービスにおいて、前記ユーザによって特定の商材が購入対象の候補として登録された行動履歴をさらに取得し、
前記抽出部は、
前記ユーザによって特定の商材が購入対象の候補として登録された行動履歴に基づいて、前記ユーザに配信される所定のコンテンツを抽出する、
ことを特徴とする請求項１又は２に記載の抽出装置。
【請求項４】
前記取得部によって取得された前記ユーザの行動履歴から抽出されるキーワードに基づいて、前記ユーザの特徴を示す特徴情報を生成する生成部、
をさらに備え、
前記抽出部は、
前記生成部によって生成された前記ユーザの特徴情報と、前記コンテンツに設定されるコンテンツ情報との類似度に基づいて、前記ユーザに配信されるコンテンツを抽出する、
ことを特徴とする請求項３に記載の抽出装置。
【請求項５】
前記生成部は、
前記ユーザの行動履歴から抽出されるキーワード毎に所定の指標値を設定し、設定された指標値によって重み付けされた前記ユーザの特徴情報を生成する、
ことを特徴とする請求項４に記載の抽出装置。
【請求項６】
前記生成部は、
前記ユーザの行動履歴のうち、直近の情報から抽出されるキーワードほど数値が高くなるよう前記指標値を設定し、設定された前記指標値によって重み付けされた前記ユーザの特徴情報を生成する、
ことを特徴とする請求項５に記載の抽出装置。
【請求項７】
前記生成部は、
前記ユーザによって購入対象の候補として登録された前記商材に設定されている情報から抽出されるキーワードに基づいて、前記ユーザの特徴情報を生成する、
ことを特徴とする請求項４〜６のいずれか一つに記載の抽出装置。
【請求項８】
前記生成部は、
前記ユーザによって購入対象の候補として登録された前記商材に設定されている情報から抽出されるキーワードのうち、予め決められた特定の単語を除いたキーワードに基づいて、前記ユーザの特徴情報を生成する、
ことを特徴とする請求項７に記載の抽出装置。
【請求項９】
前記生成部は、
前記ユーザの行動履歴に含まれる情報であって、前記ユーザが購入に至るまでの段階を示す情報を用いて、前記ユーザの特徴情報を生成する、
ことを特徴とする請求項４〜８のいずれか一つに記載の抽出装置。
【請求項１０】
前記抽出部は、
前記コンテンツに設定されるコンテンツ情報のうち、前記コンテンツに設定されたカテゴリ、又は前記コンテンツを説明する説明文から抽出されるキーワードを用いて、前記ユーザに配信されるコンテンツを抽出する、
ことを特徴とする請求項４〜９のいずれか一つに記載の抽出装置。
【請求項１１】
前記取得部は、
前記ユーザの行動履歴として、所定のオークションサイトにおける商材への入札、商材の落札、及び商材の入札候補への登録を示す情報の少なくとも一つを取得し、
前記抽出部は、
前記取得部によって取得された情報のうち、前記オークションサイトにおける商材への入札、商材の落札、及び商材の入札候補への登録を示す情報の少なくとも一つを用いて、前記ユーザに配信されるコンテンツを抽出する、
ことを特徴とする請求項１〜１０のいずれか一つに記載の抽出装置。
【請求項１２】
前記取得部は、
前記ユーザの行動履歴として、所定のオークションサイトにおける商材への入札、商材の落札、及び商材の入札候補への登録を示す情報の少なくとも一つを取得し、
前記生成部は、
前記取得部によって取得された情報のうち、前記オークションサイトにおける商材への入札、又は商材の入札候補への登録に対応する行動履歴から抽出されるキーワードには、商材の落札に対応する行動履歴から抽出されるキーワードに比べて高い数値の前記指標値を設定し、設定された指標値によって重み付けされた前記キーワードを用いて、前記ユーザの特徴情報を生成する、
ことを特徴とする請求項５又は６に記載の抽出装置。
【請求項１３】
前記ユーザに対応する端末装置から前記所定のコンテンツの配信要求を受け付ける受付部と、
前記受付部によって受け付けられた前記所定のコンテンツの配信要求を送信した前記端末装置に、前記抽出部によって抽出された所定のコンテンツを配信する配信部と、
をさらに備えたことを特徴とする請求項１〜１２のいずれか一つに記載の抽出装置。
【請求項１４】
コンピュータが実行する抽出方法であって、
ユーザに関する情報のうち、通信ネットワークを介して提供される商取引サービスにおいて、特定の商材がユーザから購入されたか否かの結果を示す行動履歴を取得する取得工程と、
前記取得工程により取得された前記ユーザの行動履歴に基づいて、前記ユーザに配信される所定のコンテンツを抽出する抽出工程と、
を含んだことを特徴とする抽出方法。
【請求項１５】
ユーザに関する情報のうち、通信ネットワークを介して提供される商取引サービスにおいて、特定の商材がユーザから購入されたか否かの結果を示す行動履歴を取得する取得手順と、
前記取得手順により取得された前記ユーザの行動履歴に基づいて、前記ユーザに配信される所定のコンテンツを抽出する抽出手順と、
をコンピュータに実行させることを特徴とする抽出プログラム。
【請求項１６】
コンピュータが実行する抽出方法であって、
ユーザに関する情報のうち、通信ネットワークを介して提供される商取引サービスにおけるユーザの行動履歴として、当該ユーザが商材の購入に至るまでの段階を示す情報を取得する取得工程と、
前記取得工程により取得された、前記ユーザが商材の購入に至るまでの段階を示す情報に基づいて、前記ユーザに配信される所定のコンテンツを抽出する抽出工程と、
を含んだことを特徴とする抽出方法。
【請求項１７】
ユーザに関する情報のうち、通信ネットワークを介して提供される商取引サービスにおけるユーザの行動履歴として、当該ユーザが商材の購入に至るまでの段階を示す情報を取得する取得手順と、
前記取得手順により取得された、前記ユーザが商材の購入に至るまでの段階を示す情報に基づいて、前記ユーザに配信される所定のコンテンツを抽出する抽出手順と、
をコンピュータに実行させることを特徴とする抽出プログラム。
【発明の詳細な説明】
【技術分野】
【０００１】
本発明は、抽出装置、抽出方法及び抽出プログラムに関する。
【背景技術】
【０００２】
近年、インターネットの飛躍的な普及に伴い、ネットワークを介して取得される情報に基づいた広告配信が盛んに行われている。このような広告配信においては、宣伝効果を高めるために、ユーザの嗜好、性別、年齢、住所、職業などのユーザ情報を予め登録しておき、ユーザ情報に対応する広告を選択的に配信するターゲティング配信が行われている。
【０００３】
例えば、上記のようなユーザ情報を活用した広告配信の例としては、顧客の購買意欲を喚起する商品情報をタイムリーに届けることが可能なダイレクトメールシステムに係る技術（以下、従来技術１と表記する）が知られている。また、ユーザから送信される検索クエリに基づいて、購買履歴を用いない場合であってもユーザの状況が購買ステージであるか否かを判定し、購買ステージであると判定されたユーザに広告を配信する技術（以下、従来技術２と表記する）が知られている。
【先行技術文献】
【特許文献】
【０００４】
【特許文献１】特開２００４−２０６４１５号公報
【特許文献２】特開２０１１−１１８７５９号公報
【発明の概要】
【発明が解決しようとする課題】
【０００５】
しかしながら、上記の従来技術では、訴求効果の高いコンテンツを抽出する精度を向上させることは困難であった。具体的には、上記の従来技術１は、商品を購買したことのあるユーザの個人情報と購買履歴とに基づいて、各ユーザに対してダイレクトメールを送信するに過ぎず、例えば、購買履歴の比較的少ないユーザに対しては、送信するコンテンツを適切に抽出することができない。また、上記の従来技術２は、検索クエリに基づきユーザが購買ステージであるか否かを推定するに過ぎず、配信されるコンテンツとユーザが適切にマッチングされているか定かでない。すなわち、広告の配信対象とされたユーザは、配信された広告に提示される商品等に対して購買意欲が高いとは限らず、広告の訴求効果が充分に発揮できない場合がある。
【０００６】
なお、上記では、コンテンツとして広告に係るコンテンツを例に挙げて、訴求効果の高いコンテンツを抽出する精度を向上させることが困難である点について説明した。しかし、広告に係るコンテンツ以外のコンテンツにおいても同様に、訴求効果の高いコンテンツを抽出する精度を向上させることができるとは限らない。すなわち、上記のような広告配信の例に限られず、ユーザ情報を用いてコンテンツを配信する技術分野においては、ユーザ情報が適切に活用されなければ、訴求効果の高いコンテンツを精度よく抽出することは困難である。
【０００７】
本願は、上記に鑑みてなされたものであって、訴求効果の高いコンテンツを抽出する精度を向上させることができる抽出装置、抽出方法及び抽出プログラムを提供することを目的とする。
【課題を解決するための手段】
【０００８】
本願に係る抽出装置は、ユーザに関する情報のうち、通信ネットワークを介して提供される商取引サービスにおいて、特定の商材がユーザから購入されたか否かの結果を示す行動履歴を取得する取得部と、前記取得部により取得された前記ユーザの行動履歴に基づいて、前記ユーザに配信される所定のコンテンツを抽出する抽出部と、を備えたことを特徴とする。
【発明の効果】
【０００９】
実施形態の一態様によれば、訴求効果の高いコンテンツを抽出する精度を向上させることができるという効果を奏する。
【図面の簡単な説明】
【００１０】
【図１】図１は、実施形態に係る抽出処理の一例を示す図である。
【図２】図２は、実施形態に係る抽出処理システムの構成例を示す図である。
【図３】図３は、実施形態に係る広告装置の構成例を示す図である。
【図４】図４は、実施形態に係る広告情報記憶部の一例を示す図である。
【図５】図５は、実施形態に係る行動情報記憶部の一例を示す図である。
【図６】図６は、実施形態に係る特徴情報記憶部の一例を示す図である。
【図７】図７は、実施形態に係るオークションサーバの構成例を示す図である。
【図８】図８は、実施形態に係る商品情報記憶部の一例を示す図である。
【図９】図９は、実施形態に係る抽出処理システムによる抽出処理手順の一例を示すシーケンス図である。
【図１０】図１０は、実施形態に係る広告装置による生成処理手順を示すフローチャートである。
【図１１】図１１は、実施形態に係る広告装置による抽出処理手順を示すフローチャートである。
【図１２】図１２は、広告装置の機能を実現するコンピュータの一例を示すハードウェア構成図である。
【発明を実施するための形態】
【００１１】
以下に、本願に係る抽出装置、抽出方法及び抽出プログラムを実施するための形態（以下、「実施形態」と呼ぶ）について図面を参照しつつ詳細に説明する。なお、この実施形態により本願に係る抽出装置、抽出方法及び抽出プログラムが限定されるものではない。また、各実施形態は、処理内容を矛盾させない範囲で適宜組み合わせることが可能である。また、以下の各実施形態において同一の部位には同一の符号を付し、重複する説明は省略される。
【００１２】
〔１．抽出処理の概要〕
まず、図１を用いて、実施形態に係る抽出処理の一例について説明する。図１は、実施形態に係る抽出処理の一例を示す図である。図１では、本願に係る抽出装置に対応する広告装置１００によって、ユーザに配信される広告コンテンツの抽出処理が行われる例を示す。
【００１３】
広告装置１００は、ユーザに関する情報（以下、「ユーザ情報」と表記する）を利用することで、配信対象先であるユーザと、配信される広告コンテンツとの適切なマッチング処理を実行する。言い換えれば、広告装置１００は、特定のユーザに配信されることで広告効果が高くなると想定される広告コンテンツを抽出し、抽出された広告コンテンツを当該ユーザに配信する。広告配信を依頼する広告主は、広告装置１００を利用することにより、広告配信を契機としてユーザから何らかの成果を得ることのできる可能性が高い広告コンテンツや、クリック率が高くなると想定される広告コンテンツ、すなわち、広告効果の高い広告コンテンツの配信を実現する。
【００１４】
なお、ユーザ情報とは、一般ユーザによって操作される情報処理端末であるユーザ端末１０がウェブサイトにアクセス（ウェブページにおいてバナー広告をクリックしたことを示す情報の送信や、ショッピングページにおいて商品を購買するための要求の送信などを含む）した際のログ（Ｌｏｇ）のデータ（言い換えれば、ユーザの行動履歴）等をいう。本明細書中では、このような行動履歴に関するユーザ情報を「行動情報」と表記する場合がある。また、ユーザ情報は、ウェブサイトへのアクセス履歴や購入履歴等から導かれるユーザ自体の属性情報（例えば、ユーザの年齢、性別、嗜好など）等を含むものとする。
【００１５】
図１の例において、実施形態に係る広告装置１００は、ユーザの行動情報を含むユーザ情報を取得し、広告コンテンツの抽出処理に利用する。また、広告装置１００は、ユーザの行動情報の中でも、特に、オークションサイトにおけるユーザの購買段階（入札や、落札など）に対応する行動情報を利用し、広告コンテンツの抽出処理を実行する。以下では、広告装置１００によって行われる広告コンテンツの抽出処理の概要を流れに沿って説明する。
【００１６】
図１に示すように、ユーザ端末１０は、オークションサイトにアクセスする（ステップＳ１１）。オークションサイトは、オークションサイトを管理するサーバ装置であるオークションサーバ３０により提供される。すなわち、ユーザ端末１０は、オークションサーバ３０にアクセスし、オークションサーバ３０が提供するオークションサイトを利用する。ユーザ端末１０は、オークションサイトにアクセスした場合には、オークションサイトを構成するウェブページを適宜取得する。
【００１７】
なお、オークションサーバ３０へのアクセスに際して、ユーザ端末１０は、ウェブブラウザとサーバとの間で送受信される情報であるＨＴＴＰクッキー（HyperText  Transfer  Protocol  Cookie：以下、単に「クッキー」と表記する）をオークションサーバ３０へ送信する。これにより、ユーザ端末１０がオークションサイト内で利用したサービスの内容や、商品への入札、落札などの行動情報がオークションサーバ３０に記憶される。なお、ユーザ端末１０は、オークションサーバ３０にアクセスする度にクッキーを送受信することにより、オークションサイト内での行動履歴を保持することができる。また、オークションサーバ３０は、ユーザ端末１０から送信されるクッキーにより、ユーザ端末１０を識別することができるので、ユーザ端末１０の行動情報に基づいたサービスをアクセスの度に提供することができる。ここで、クッキーは、ユーザ端末１０のウェブブラウザに対応して記憶される。このため、ユーザ端末１０は、オークションサーバ３０以外のウェブサーバにアクセスした場合であっても、クッキーの送受信により、オークションサーバ３０での行動情報を他のウェブサイトでも活用することができる。
【００１８】
オークションサーバ３０は、オークションサイト内でのユーザ端末１０の行動情報を取得する（ステップＳ１２）。そして、オークションサーバ３０は、取得したユーザ端末１０の行動情報を広告装置１００に送信する（ステップＳ１３）。広告装置１００は、オークションサーバ３０から取得した行動情報を蓄積する（ステップＳ１４）。そして、広告装置１００は、蓄積した行動情報に基づいて、ユーザ端末１０毎に対応する特徴情報を生成する（ステップＳ１５）。
【００１９】
詳しくは後述するが、広告装置１００は、ユーザの行動情報として、オークションサイトにおいて、商品が購入対象の候補としてユーザにより登録された行動履歴を取得する。例えば、広告装置１００は、商品が購入対象の候補として登録された行動履歴として、ユーザが特定の商品に入札した行動や、特定の商品を入札候補の商品としてウォッチリストに登録した行動や、入札の結果、特定の商品を落札した行動などの行動履歴を取得する。そして、広告装置１００は、オークションサイトにおいて入札した商品や、ウォッチリストに登録した商品などの商品名や、商品カテゴリから抽出されるキーワードに基づいて、ユーザ端末１０毎の特徴情報を生成する。そして、広告装置１００は、生成した特徴情報をユーザ端末１０毎に記憶する。なお、ウォッチリストとは、今後のオークションにおいて動向を確認するために、ユーザが選択した商品をリスト化するサービス機能をいう。言い換えれば、ウォッチリストに登録された商品とは、将来においてユーザが入札する候補の商品である。
【００２０】
その後、ユーザ端末１０は、所定のポータルサイトにアクセスする（ステップＳ１６）。ポータルサイトとは、検索エンジンや、ニュース記事や、メールサービスなど、各種サービスを提供するウェブサイトのことをいう。ここでは、所定のポータルサイトは、ウェブサーバ４０により提供される。そして、ポータルサイトには、所定の広告枠が含まれる。ユーザ端末１０は、ウェブサーバ４０にアクセスすることで、ポータルサイトを構成するウェブページをウェブサーバ４０から取得する。そして、ユーザ端末１０は、ウェブブラウザにポータルサイトを表示しようとする際に、広告枠に表示する広告コンテンツを配信させるための要求を広告装置１００に送信する（ステップＳ１７）。
【００２１】
広告装置１００は、ユーザ端末１０から送信される広告配信の要求とともに、ユーザ端末１０を識別する情報を取得する。例えば、広告装置１００は、ユーザ端末１０からクッキーを受信し、ユーザ端末１０を識別する。
【００２２】
そして、広告装置１００は、保持している特徴情報のうち、広告配信を要求したユーザ端末１０に対応する特徴情報に基づいて、ユーザ端末１０に配信する広告コンテンツを選択する。言い換えれば、広告装置１００は、ユーザ端末１０を操作するユーザに対応する広告コンテンツを抽出する（ステップＳ１８）。この場合、広告装置１００は、行動情報に基づいて生成されたユーザ端末１０の特徴情報と、広告コンテンツの入稿時に予め設定されている広告コンテンツのカテゴリや、広告コンテンツを説明するためにタグ付けされるキーワード（以下、「広告キーワード」と表記する場合がある）に基づくコンテンツ情報との類似度を算出することにより、配信する広告コンテンツを抽出する。例えば、広告装置１００は、特徴情報とコンテンツ情報との類似度が最も高くなる広告コンテンツを配信候補として抽出する。そして、広告装置１００は、広告配信の要求を送信したユーザ端末１０に対して、抽出した広告コンテンツを配信する（ステップＳ１９）。
【００２３】
このように、実施形態に係る広告装置１００は、ユーザに関する情報のうち、通信ネットワークを介して提供される商取引サービス（例えば、オークションサイト等の商取引サービスを提供するウェブサイト）において、ユーザによって特定の商材（例えば、ウェブサイトで購入可能な商品や、商取引の目的となるサービス等）が購入対象の候補として登録された行動履歴を取得する。そして、広告装置１００は、取得されたユーザの行動履歴に基づいて、ユーザに配信される広告コンテンツを抽出する。
【００２４】
すなわち、実施形態に係る広告装置１００は、一般的なターゲティング広告で利用されている、ユーザの属性情報や、ユーザのウェブサイトの閲覧情報などに加えて、オークションサイトなど商取引サイトにおける入札などの行動履歴から抽出される情報を用いて広告コンテンツを抽出する。ここで、ユーザにとって、オークションサイトにおいて入札したり、入札候補としてウォッチリストに登録したりした商品（すなわち、購入対象の候補としてオークションサイトに登録した商品）は、単にショッピングサイトを閲覧した商品等に比較して、ユーザの購買意欲が高く、興味関心が高い商品といえる。また、オークションサイトでは、商品に入札できる期間や、落札時間（取引終了時間）が定まっているため、取引が行われている期間では、ユーザの商品に対する興味関心がさらに高いものと想定される。広告装置１００は、このようなオークションサイトにおけるユーザの行動情報を取得し、また、ユーザの行動段階（例えば、入札や、落札や、入札候補への登録など）を含めた情報に基づき、広告コンテンツを抽出するので、ユーザの興味関心に沿った訴求効果の高い広告コンテンツを抽出する精度を向上させることができる。結果として、広告装置１００は、コンバージョン（Conversion）に至る可能性の高いユーザや、ＣＴＲ（Click  Through  Rate）が高くなる可能性の高いユーザに対して、抽出された適切な広告コンテンツを配信するので、広告配信による広告効果を向上させることが期待できる。
【００２５】
なお、図１では、ステップＳ１３において、オークションサーバ３０がユーザの行動情報を広告装置１００に送信する例を示した。また、ステップＳ１７では、ユーザ端末１０が広告配信の要求とともに、ユーザ端末１０の識別情報を広告装置１００に送信する例を示した。しかし、上記のような情報の送受信は、ウェブビーコン（web  beacon）等によって実現されてもよい。
【００２６】
すなわち、オークションサーバ３０及びウェブサーバ４０によって提供されるウェブページには、ウェブビーコン等によって実現される、ユーザ情報に関する通知機能が埋め込まれる場合がある。例えば、ウェブビーコンは、ウェブページにアクセスしたユーザ端末１０を広告装置１００内に格納される透明な画像又は非常に小さな画像（「クリアＧＩＦ」と呼ばれることもある）にアクセスさせる機能を有する。これにより、広告装置１００は、ユーザ端末１０からユーザ情報を受信し、取得することができる。例えば、広告装置１００は、ウェブビーコンによって実現される機能により、オークションサーバ３０にアクセスしたユーザ端末１０からクッキーを受信してもよい。また、広告装置１００は、ウェブサーバ４０にアクセスしたユーザ端末１０からクッキーを受信してもよい。そして、広告装置１００は、受信したクッキーに基づいてユーザ情報を取得する。
【００２７】
〔２．抽出処理システムの構成〕
次に、図２を用いて、実施形態に係る広告装置１００が含まれる抽出処理システム１の構成について説明する。図２は、実施形態に係る抽出処理システム１の構成例を示す図である。図２に例示するように、実施形態に係る抽出処理システム１には、ユーザ端末１０と、広告主端末２０と、オークションサーバ３０と、ウェブサーバ４０と、広告装置１００とが含まれる。これらの各種装置は、ネットワークＮ（例えば、インターネット等の通信ネットワーク）を介して、有線又は無線により通信可能に接続される。なお、図２に示した抽出処理システム１には、複数台のユーザ端末１０や、複数台の広告主端末２０や、複数台のオークションサーバ３０や、複数台のウェブサーバ４０が含まれてもよい。
【００２８】
ユーザ端末１０は、例えば、デスクトップ型ＰＣ（Personal  Computer）や、ノート型ＰＣや、タブレット型端末や、携帯電話機、ＰＤＡ（Personal  Digital  Assistant）等の情報処理装置である。例えば、ユーザ端末１０は、オークションサーバ３０や、ウェブサーバ４０にアクセスすることで、オークションサーバ３０や、ウェブサーバ４０から提供されるウェブサイトからウェブページを取得し、取得したウェブページを表示装置（例えば、液晶ディスプレイ）に表示する。
【００２９】
広告主端末２０は、広告装置１００に広告配信を依頼する広告主によって利用される情報処理装置である。広告主端末２０は、広告主による操作に従って、広告装置１００に広告コンテンツを入稿する。また、広告主端末２０は、適切な配信対象に広告コンテンツを配信させるために、広告コンテンツに対してカテゴリを設定したり、広告コンテンツにタグ付けされる広告キーワードを指定したりする。例えば、広告装置１００は、広告コンテンツに設定されるカテゴリや、広告キーワードなどのコンテンツ情報に基づいて、適切な配信対象を決定する。
【００３０】
なお、広告主は、広告主端末２０を用いて、広告装置１００に広告コンテンツを入稿したり、広告コンテンツに対してカテゴリを設定したりせずに、かかる入稿等を代理店に依頼する場合もある。この場合、広告装置１００に広告コンテンツを入稿等するのは代理店となる。以下では、「広告主」といった表記は、広告主だけでなく代理店を含む概念であり、「広告主端末」といった表記は、広告主端末だけでなく代理店によって利用される代理店装置を含む概念であるものとする。
【００３１】
オークションサーバ３０は、ユーザ端末１０からアクセスされた場合に、オークションサイトに関するウェブページを提供するサーバ装置である。オークションサーバ３０は、ユーザ端末１０から、オークションサイトにおいて商品の購買に関する要求を受け付けたり、オークションに係る各種サービスを提供したりする。
【００３２】
ウェブサーバ４０は、ユーザ端末１０からアクセスされた場合に、各種ウェブページを提供するサーバ装置である。ウェブサーバ４０は、例えば、ニュースサイト、天気予報サイト、ショッピングサイト、ファイナンス（株価）サイト、路線検索サイト、地図提供サイト、旅行サイト、飲食店紹介サイト、ウェブブログなどに関する各種ウェブページを提供する。
【００３３】
なお、ウェブサーバ４０によって配信されるウェブページには、広告コンテンツを表示するための広告枠が含まれる。そして、広告枠を含むウェブページには、広告枠に表示する広告コンテンツを取得するための広告取得命令が含まれる。例えば、ウェブページを形成するＨＴＭＬ（HyperText  Markup  Language）ファイル等には、広告装置１００のＵＲＬ等が広告取得命令として記述される。この場合、ユーザ端末１０は、ＨＴＭＬファイル等に記述されているＵＲＬにアクセスすることで、広告装置１００から広告コンテンツの配信を受ける。
【００３４】
広告装置１００は、上述のように、ユーザ情報を利用することで、広告配信の要求を行ったユーザに対して、広告効果が高いと想定される広告コンテンツを抽出し、抽出された広告コンテンツの配信を行う情報処理装置である。
【００３５】
また、広告装置１００は、広告コンテンツの配信にあたって、ユーザ端末１０を識別し、広告コンテンツを配信するユーザ端末１０を特定する。図１で説明したように、ユーザの識別は、ユーザ端末１０のウェブブラウザと広告装置１００との間でやり取りされるクッキーにユーザ識別情報を含めることによって行うことができる。ただし、ユーザを識別する手法は上記に限られない。例えば、ユーザ端末１０に専用のプログラムを設定し、かかる専用プログラムからユーザ識別情報を広告装置１００に送信させてもよい。
【００３６】
〔３−１．広告装置の構成〕
次に、図３を用いて、実施形態に係る広告装置１００の構成について説明する。図３は、実施形態に係る広告装置１００の構成例を示す図である。図３に示すように、広告装置１００は、通信部１１０と、記憶部１２０と、制御部１３０とを有する。なお、広告装置１００は、広告装置１００を利用する管理者等から各種操作を受け付ける入力部（例えば、キーボードやマウス等）や、各種情報を表示するための表示部（例えば、液晶ディスプレイ等）を有してもよい。
【００３７】
（通信部１１０について）
通信部１１０は、例えば、ＮＩＣ（Network  Interface  Card）等によって実現される。かかる通信部１１０は、ネットワークＮと有線又は無線で接続され、ネットワークＮを介して、ユーザ端末１０や、広告主端末２０や、オークションサーバ３０や、ウェブサーバ４０との間で情報の送受信を行う。
【００３８】
（記憶部１２０について）
記憶部１２０は、例えば、ＲＡＭ（Random  Access  Memory)、フラッシュメモリ（Flash  Memory）等の半導体メモリ素子、または、ハードディスク、光ディスク等の記憶装置によって実現される。記憶部１２０は、広告情報記憶部１２１と、行動情報記憶部１２２と、特徴情報記憶部１２３とを有する。
【００３９】
（広告情報記憶部１２１について）
広告情報記憶部１２１は、広告主端末２０から入稿された広告コンテンツに関する情報を記憶する。また、広告情報記憶部１２１は、入稿された広告コンテンツに対応付けて、広告主から設定される広告コンテンツのカテゴリや広告キーワードを記憶する。ここで、図４に、実施形態に係る広告情報記憶部１２１の一例を示す。図４に示した例では、広告情報記憶部１２１は、「広告主ＩＤ」、「広告コンテンツＩＤ」、「広告カテゴリ」、「広告キーワード」といった項目を有する。
【００４０】
「広告主ＩＤ」は、広告主又は広告主端末２０を識別するための識別情報を示す。また、「広告コンテンツＩＤ」は、広告主から広告装置１００に入稿される広告コンテンツを識別するための識別情報を示す。
【００４１】
なお、実際にユーザ端末１０に配信される広告コンテンツのデータは、広告装置１００とは別に備えられた所定の広告配信サーバに記憶されてもよい。この場合、広告装置１００は、広告情報記憶部１２１に記憶された広告コンテンツＩＤに基づいて、外部の広告配信サーバに記憶された広告コンテンツを特定する。そして、広告装置１００は、広告配信サーバに対して、特定された広告コンテンツをユーザ端末１０に対して配信するよう制御する。
【００４２】
また、以下では、図４に示した広告主ＩＤ及び広告コンテンツＩＤに記憶されている識別情報を広告主及び広告コンテンツの参照符号として用いる場合がある。例えば、広告主ＩＤ「ＣＬ１１」によって識別される広告主を「広告主ＣＬ１１」と、または、広告コンテンツＩＤ「ＡＤ１１」によって識別される広告コンテンツを「広告コンテンツＡＤ１１」と表記する場合がある。
【００４３】
「広告カテゴリ」は、広告コンテンツのカテゴリを示す。広告主は、広告コンテンツを入稿する際に、広告コンテンツを分類するための広告カテゴリを指定する。なお、広告カテゴリは、広告主によって設定されなくてもよい。例えば、広告装置１００は、入稿された広告コンテンツに含まれるテキストや画像が示す宣伝内容等に基づいて、自動的に広告カテゴリを設定してもよい。
【００４４】
「広告キーワード」は、広告コンテンツにタグ付けされるキーワードを示す。広告コンテンツは、広告キーワードによって特徴が示される。言い換えれば、広告キーワードは、広告コンテンツを説明するキーワードであり、広告コンテンツが配信対象として抽出される際に参照される。なお、図４においては、広告コンテンツにタグ付けされる説明を広告キーワードにより示したが、広告コンテンツの特徴を説明する情報は、キーワードのような単語で表される形式でなく、広告コンテンツを説明するための説明文であってもよい。
【００４５】
例えば、図４では、広告主ＩＤ「ＣＬ１１」によって識別される広告主が、広告コンテンツＩＤ「ＡＤ１１」で識別される広告コンテンツを入稿した例を示す。また、広告主ＣＬ１１は、広告コンテンツＡＤ０１について、広告カテゴリとして「自動車」を指定し、広告キーワードとして、「車、ドライブ、乗り物、旅行、休日、・・・」を指定している例を示す。
【００４６】
（行動情報記憶部１２２について）
行動情報記憶部１２２は、広告装置１００が取得したユーザの行動情報を記憶する。具体的には、行動情報記憶部１２２は、ユーザ端末１０がオークションサーバ３０に対してアクセスし、オークションサイトにおいて商品を入札した行動履歴や、商品をウォッチリストに登録した行動履歴や、商品を落札した行動履歴等を記憶する。
【００４７】
ここで、図５に、実施形態に係る行動情報記憶部１２２の一例を示す。図５は、実施形態に係る行動情報記憶部１２２の一例を示す図である。図５に示した例では、行動情報記憶部１２２は、「ユーザＩＤ」、「行動情報」といった項目を有し、さらに「行動情報」の項目は、「購買段階」、「購買対象」、「行動日時」といった項目を有する。
【００４８】
「ユーザＩＤ」は、ユーザ端末１０を識別する識別情報である。図５において、ユーザＩＤは、「Ｕ１１」と表記される。これは、ユーザ端末１０がユーザＩＤ「Ｕ１１」により識別されていることを示す。なお、ユーザＩＤは、ユーザ端末１０を操作するユーザの参照符号と一致するものとする。すなわち、「ユーザＩＤ＝Ｕ１１」に対応する行動情報は、ユーザＵ１１が操作するユーザ端末１０によって行われた行動に関する情報を示すものとする。
【００４９】
「行動情報」は、ユーザ（すなわち、ユーザ端末１０）の行動情報を示す。「購買段階」は、オークションサイト内の行動情報における、ユーザの購買の段階（入札や、落札など、購買に至るまでの段階）を示す。「購買対象」は、ユーザが購買（購入）を目的として入札した商品など、ウェブサイトにおける購買の対象を示す情報である。図５の例では、購買対象の項目には、入札等を行った商品名が記載されている例を示している。「行動日時」は、行動が行われた日時を示す。
【００５０】
例えば、図５では、オークションサイトにおいて、ユーザＩＤ「Ｕ１１」によって識別されるユーザ端末１０が、「２０１４年９月１０日  １８：３０」に、商品「ＡＡＡ」をウォッチリストに登録し、「２０１４年９月１０日  １８：３５」に、商品「ＢＢＢ」をウォッチリストに登録し、「２０１４年９月１０日  １８：４０」に、商品「ＣＣＣ」をウォッチリストに登録したことを示している。また、ユーザＩＤ「Ｕ１１」によって識別されるユーザ端末１０が、「２０１４年９月１１日  ２０：００」に、商品「ＡＡＡ」に入札したことを示している。また、ユーザＩＤ「Ｕ１１」によって識別されるユーザ端末１０が、「２０１４年９月１３日  １０：００」に、商品「ＡＡＡ」を落札したことを示している。
【００５１】
なお、図５では図示することを省略したが、行動情報記憶部１２２には、ウェブサイトへのアクセス履歴や購入履歴等から導かれるユーザ自体の属性情報（例えば、ユーザの年齢、性別、嗜好など）等が含まれてもよい。また、行動情報記憶部１２２には、ユーザ端末１０自体を識別する情報であるデバイスＩＤ等を記憶してもよい。デバイスＩＤは、ユーザＩＤと異なり、端末装置自体に記録されている識別情報を示す。
【００５２】
また、行動情報記憶部１２２は、広告装置１００の内部に存在せず、例えば外部に接続された所定のログ記憶サーバなどであってもよい。この場合、後述する取得部１３２は、ネットワークＮを介して、所定のログ記憶サーバに記憶されているログを取得することができる。広告装置１００は、随時ユーザ情報を取得する場合には、ユーザ情報に係るデータを格納するための大量の記憶容量を要する。ここで、広告装置１００は、行動情報記憶部１２２に対応する外部のログ記憶サーバを利用することにより、記憶容量の要求を満たすことができる。
【００５３】
（特徴情報記憶部１２３について）
特徴情報記憶部１２３は、ユーザ端末１０毎の特徴情報を記憶する。ここで、図６に、実施形態に係る特徴情報記憶部１２３の一例を示す。図６に示した例では、特徴情報記憶部１２３は、「ユーザＩＤ」、「特徴情報」といった項目を有する。
【００５４】
「ユーザＩＤ」は、図５に示すユーザＩＤの項目に対応する。「特徴情報」は、ユーザ端末１０毎の行動情報に基づいて生成される情報であり、ユーザ端末１０の特徴を示す。
【００５５】
図６に示す例では、特徴情報を「Ｆ１１」のように概念的に表現している。しかし、実際には、特徴情報は、ユーザの行動情報に基づいて抽出されるキーワードと、キーワード毎に設定される指標値との組合せによって表現される。一例としては、特徴情報は、キーワードの存否を要素とし、キーワード毎に算出される指標値によって重み付けされた、単語ベクトルにより表現される。具体的には、ユーザの特徴情報は、ユーザの行動情報によって抽出される所定のキーワードが存在する場合には「１」、存在しない場合には「０」で表現される要素（ベクトルでいえば、次元）であって、キーワード毎に算出された指標値が乗算された（すなわち、重み付けされた）要素により構成される単語ベクトルとして表現される。
【００５６】
例えば、図６では、ユーザＩＤ「Ｕ１１」によって識別されるユーザ端末１０には、特徴情報として「Ｆ１１」が生成されており、ユーザＩＤ「Ｕ１１」と特徴情報「Ｆ１１」とが対応して記憶されていることを示す。
【００５７】
（制御部１３０について）
制御部１３０は、例えば、ＣＰＵ（Central  Processing  Unit）やＭＰＵ（Micro  Processing  Unit）等によって、広告装置１００内部の記憶装置に記憶されている各種プログラム（抽出プログラムの一例に相当）がＲＡＭを作業領域として実行されることにより実現される。また、制御部１３０は、例えば、ＡＳＩＣ（Application  Specific  Integrated  Circuit）やＦＰＧＡ（Field  Programmable  Gate  Array）等の集積回路により実現される。
【００５８】
図３に示すように、制御部１３０は、入稿受付部１３１と、取得部１３２と、生成部１３３と、要求受付部１３４と、抽出部１３５と、配信部１３６とを有し、以下に説明する情報処理の機能や作用を実現または実行する。なお、制御部１３０の内部構成は、図３に示した構成に限られず、後述する情報処理を行う構成であれば他の構成であってもよい。また、制御部１３０が有する各処理部の接続関係は、図３に示した接続関係に限られず、他の接続関係であってもよい。
【００５９】
（入稿受付部１３１について）
入稿受付部１３１は、広告主端末２０から広告コンテンツの入稿を受け付ける。例えば、入稿受付部１３１は、広告カテゴリと広告キーワードとが設定された広告コンテンツの入稿を広告主端末２０から受け付ける。そして、入稿受付部１３１は、入稿元の広告主を識別する広告主ＩＤに対応付けて、入稿された広告コンテンツに関する情報を広告情報記憶部１２１に記憶する。
【００６０】
なお、入稿受付部１３１は、広告カテゴリや、広告キーワードについて、必ずしも広告コンテンツの入稿と同時に受け付けることを要しない。すなわち、入稿受付部１３１は、広告コンテンツの入稿の後に広告カテゴリや広告キーワードの設定を受け付けてもよいし、広告カテゴリや広告キーワードの設定を受け付けた後に、かかる設定の変更を受け付けてもよい。
【００６１】
（取得部１３２について）
取得部１３２は、ユーザに関する情報を取得する。例えば、取得部１３２は、ユーザに関する情報の一例として、オークションサーバ３０から送信されるユーザ端末１０の行動のログ等に基づいて、オークションサイトにおいて、ユーザによって特定の商材が購入対象の候補として登録された行動履歴を取得する。
【００６２】
具体的には、取得部１３２は、ユーザの行動情報（行動履歴）として、オークションサイトにおいて、ユーザが特定の商品に入札した行動や、特定の商品を入札候補の商品としてウォッチリストに登録した行動に関する情報を取得する。また、取得部１３２は、特定の商品を購入対象の候補としてオークションサイトに登録した後、結果として、かかる商品を購入する権利を得た行動（すなわち、商品の落札）に関する情報を取得する。
【００６３】
なお、図５で示したように、ユーザの行動情報には、ユーザＩＤと、所定の行動履歴に関する行動情報とが含まれる。図５で示したユーザの行動情報は、オークションサイトにおけるユーザ端末１０の行動情報が記載されている例を示したが、取得部１３２が取得する情報は、かかる情報に限られない。例えば、取得部１３２は、ユーザの行動情報として、オークションサイト以外のウェブサイトへのアクセス情報であったり、検索サイトにおいて検索クエリを入力することで行う検索行動であったり、ショッピングページにおける購買行動等のユーザの行動情報を取得してもよい。
【００６４】
また、上述のように、取得部１３２が取得するログにはユーザＩＤが含まれる。したがって、取得部１３２は、ユーザＩＤに基づいて、クッキーなどのユーザ識別情報に含まれるユーザ属性に係る情報等をユーザ情報として取得してもよい。また、取得部１３２は、ユーザＩＤに基づいて、クッキーに含まれるユーザの過去のアクセス情報などをトラッキングすることにより、ユーザ情報を取得してもよい。例えば、取得部１３２は、ユーザ情報として、ユーザの年齢や、性別や、興味や、居住地域等の情報を取得することができる。
【００６５】
（生成部１３３について）
生成部１３３は、取得部１３２によって取得されたユーザの行動履歴から抽出されるキーワードに基づいて、ユーザの特徴を示す特徴情報を生成する。具体的には、生成部１３３は、ユーザ情報のうち、オークションサイトなどの商取引サービスを提供するウェブサイトにおいて、特定の商材を購入対象の候補として登録した行動履歴から抽出されるキーワードに基づいて、ユーザの特徴を示す特徴情報を生成する。
【００６６】
例えば、生成部１３３は、取得部１３２によって取得されたユーザの行動履歴のうち、特定の商材を購入対象の候補として登録した行動履歴に含まれる情報であって、ユーザが購入に至るまでの段階を示す情報を用いて、ユーザの特徴情報を生成する。具体的には、生成部１３３は、ユーザが購入に至るまでの段階を示す情報として、オークションサイトにおける商品への入札、商品の落札、及び入札候補の登録を示す情報の少なくとも一つを用いて、ユーザの特徴情報を生成する。
【００６７】
また、生成部１３３は、ユーザの行動履歴から抽出されるキーワード毎に所定の指標値を設定し、設定された指標値によって重み付けされたユーザの特徴情報を生成する。上述のように、広告装置１００は、生成部１３３によって生成されたユーザの特徴情報と、広告コンテンツに含まれるコンテンツ情報との類似度を算出することで、広告コンテンツを抽出する。このため、生成部１３３は、ユーザの特徴を適切に示す特徴情報を生成することが望ましい。そこで、生成部１３３は、特徴情報を生成する要素となる、行動情報から抽出されるキーワードについて、所定の指標値を算出し、算出された指標値により重み付けする。具体的には、生成部１３３は、よりユーザの特徴を示すと想定されるキーワードには相対的に高い数値の指標値を算出することで、特徴情報における、かかるキーワードの重みを重くする。
【００６８】
例えば、生成部１３３は、ユーザの行動履歴から抽出されるキーワード毎に所定の指標値を設定し、かつ、オークションサイトにおける商品への入札、又は入札候補の登録（例えば、ウォッチリストへの登録）に対応する行動履歴から抽出されるキーワードには、商品の落札に対応する行動履歴から抽出されるキーワードに比べて高い数値の指標値を設定し、設定された指標値によって重み付けされたユーザの行動情報を用いて、ユーザの特徴情報を生成する。ここで、ユーザは、入札した商品や、入札候補に登録した商品については、相対的に高い購買意欲を有することが想定される。また、ユーザは、落札した商品については、既に商品を取得したため、相対的に購買意欲が低下していることが想定される。すなわち、生成部１３３は、このような購買段階に関する情報に対応する指標値を算出し、行動情報から抽出されるキーワード毎に異なる指標値を設定する。これにより、生成部１３３は、ユーザが興味を持つと想定される商品名などの情報のみならず、購買段階におけるユーザの興味関心が加味された行動情報に基づいて、ユーザの特徴情報を生成することができる。
【００６９】
また、生成部１３３は、ユーザの行動履歴のうち、直近の情報から抽出されるキーワードほど数値が高くなるよう指標値を設定し、設定された指標値によって重み付けされたユーザの特徴情報を生成する。例えば、オークションサイトなどで購買活動を行うユーザは、現時点での購買意欲が高い商品について興味を示し、入札や入札候補の登録といった行動を実行することが想定される。このため、生成部１３３は、直近の行動情報ほど指標値が高くなるように指標値を算出し、かかる指標値に基づいてユーザの特徴情報を生成する。これにより、生成部１３３は、よりユーザの興味関心が強いと想定される行動情報に基づいて、適切なユーザの特徴情報を生成することができる。
【００７０】
なお、生成部１３３は、上述のように、ユーザの行動情報からキーワードを抽出することによって、ユーザの特徴情報を生成する。具体的には、生成部１３３は、ユーザが購入対象の候補として登録した商材に設定された名称、カテゴリを形態素解析することによって抽出されるキーワードに基づいて、ユーザの特徴情報を生成する。例えば、生成部１３３は、オークションサイトにおける商材である商品等から抽出されるキーワードを特徴情報の要素として、特徴情報を生成する。例えば、生成部１３３は、キーワード（単語）を要素とする単語ベクトルとして特徴情報を生成する。この場合、生成部１３３は、上述したように、購入の段階に関する情報が含まれる行動情報から抽出されるキーワードに設定された指標値により重み付けされたキーワードを要素とした単語ベクトルを生成することができる。これにより、生成部１３３は、ユーザの興味関心の高いキーワードほど重みが重い要素としてユーザの特徴情報を生成することができる。
【００７１】
なお、生成部１３３は、ユーザによって購入対象の候補として登録された商材に設定されている情報から抽出されるキーワードのうち、予め決められた特定の単語を除いたキーワードに基づいて、ユーザの特徴情報を生成する。言い換えれば、生成部１３３は、特徴情報の生成処理において不要な単語は予め除外して特徴情報を生成することができる。例えば、生成部１３３は、オークションサイトにおける商材である商品又はサービスに関する情報を形態素解析した場合、「無料」や、「即決」など、オークションサイト特有のキーワードであって、ユーザの特徴を示すことが想定されないキーワードを抽出することがある。この場合、例えば、生成部１３３は、予め広告装置１００の管理者等により決められる特定の単語であって、「無料」や、「即決」などの特定の単語を除いたキーワードによって、ユーザの特徴情報を生成してもよい。これにより、生成部１３３は、ユーザの特徴を示すことが想定されないキーワードを特徴情報から除外できるので、よりユーザの特徴を適切に示した特徴情報を生成することができる。
【００７２】
（要求受付部１３４について）
要求受付部１３４は、広告コンテンツの配信要求を受け付ける。具体的には、要求受付部１３４は、ウェブページを表示するユーザ端末１０から送信される要求であって、ウェブページに含まれる広告枠で表示する広告コンテンツの配信に関する要求を受け付ける。
【００７３】
（抽出部１３５について）
抽出部１３５は、取得部１３２により取得されたユーザの行動履歴に基づいて、ユーザに配信される広告コンテンツなどの所定のコンテンツを抽出する。例えば、抽出部１３５は、生成部１３３によって生成されたユーザの特徴情報と、広告コンテンツに設定されるコンテンツ情報との類似度に基づいて、ユーザ端末１０に配信する広告コンテンツを抽出する。
【００７４】
抽出部１３５は、広告コンテンツに設定されるコンテンツ情報として、広告コンテンツに設定された広告カテゴリ、又は広告コンテンツを説明する説明文から抽出されるキーワードを用いて、ユーザに配信される広告コンテンツを抽出する。例えば、抽出部１３５は、広告コンテンツに設定される情報を形態素解析することによって抽出されるキーワードを用いて、ユーザに配信する広告コンテンツを抽出する。このように、抽出部１３５は、広告コンテンツに関するキーワードに基づくコンテンツ情報を利用して、抽出処理を実行する。例えば、抽出部１３５は、生成部１３３が生成するユーザの特徴情報と同様に、広告コンテンツのコンテンツ情報として、広告コンテンツに関するキーワードを要素とする単語ベクトルを用いる。これにより、抽出部１３５は、生成部１３３が生成したユーザの特徴情報と、広告コンテンツのコンテンツ情報との類似度を、単語ベクトル同士の類似度として算出することができる。
【００７５】
例えば、抽出部１３５は、ユーザの特徴情報と、コンテンツ情報とのコサイン類似度を算出し、算出された数値が高いコサイン類似度に対応する広告コンテンツほど優先的に抽出する。ユーザの特徴情報と、コンテンツ情報とのいずれもが単語ベクトルのようなベクトル空間モデルで表現された場合、双方の単語ベクトルの類似度は、コサイン類似度により表現できる。この場合、抽出部１３５は、コサイン類似度として、「０」から「１」の範囲で示されるコサイン類似度を算出する。そして、抽出部１３５は、より数値が高いコサイン類似度に対応する広告コンテンツが、類似度を算出した特徴情報に対応するユーザに配信されるコンテンツとして適切であると判定する。これにより、抽出部１３５は、広告効果が高くなると想定される広告コンテンツを抽出することができる。
【００７６】
（配信部１３６について）
配信部１３６は、要求受付部１３４によって受け付けられた広告コンテンツの配信要求を送信したユーザに対応するユーザ端末１０に、抽出部１３５によって抽出された広告コンテンツを配信する。
【００７７】
なお、上述のように、実際に配信される広告コンテンツのデータ自体は、広告装置１００に係る広告情報記憶部１２１内に記憶されていなくてもよい。例えば、配信部１３６は、外部に備えられた所定の広告配信サーバに広告配信の制御命令を送信することで、抽出部１３５が抽出した広告コンテンツをユーザ端末１０に配信させてもよい。
【００７８】
〔３−２．オークションサーバの構成〕
次に、図７を用いて、実施形態に係るオークションサーバ３０の構成について説明する。図７は、実施形態に係るオークションサーバ３０の構成例を示す図である。図７に示すように、オークションサーバ３０は、通信部３１と、商品情報記憶部３２と、制御部３３とを有する。なお、オークションサーバ３０は、オークションサーバ３０を利用する管理者等から各種操作を受け付ける入力部や、各種情報を表示するための表示部を有してもよい。
【００７９】
（通信部３１について）
通信部３１は、例えば、ＮＩＣ等によって実現される。かかる通信部３１は、ネットワークＮと有線又は無線で接続され、ネットワークＮを介して、ユーザ端末１０や、広告装置１００との間で情報の送受信を行う。
【００８０】
（商品情報記憶部３２について）
商品情報記憶部３２は、例えば、ＲＡＭ、フラッシュメモリ等の半導体メモリ素子、または、ハードディスク、光ディスク等の記憶装置によって実現される。ここで、図８に、実施形態に係る商品情報記憶部３２の一例を示す。図８に示した例では、商品情報記憶部３２は、「商品ＩＤ」、「商品名」、「商品カテゴリ」、「入札者ＩＤ」、「現在価格」、「即決価格」、「終了日時」といった項目を有する。
【００８１】
「商品ＩＤ」は、オークションにおける商品を識別する識別情報を示す。「商品名」は、オークションに出品されている商品の名称を示す。「商品カテゴリ」は、オークションに出品されている商品のカテゴリを示す。「入札者ＩＤ」は、現時点で最高額の入札価格を入札している入札者であるユーザを識別するための識別情報を示す。ここでは、入札者ＩＤに表示される情報は、図５で示したユーザＩＤに対応するものとする。「現在価格」は、現時点でオークションに入札されている入札価格の最高額を示す。「即決価格」は、記載されている価格による入札があった場合に、直ちにオークションが終了する価格を示す。「即決価格」は、出品者によっては、設定されない場合もあり、この場合には即決価格の項目は空欄となる。「終了日時」は、オークションが終了した日時を示す。
【００８２】
なお、図８において、「終了日時」に日時が格納されていないオークションが開催中又は未開催であり、「終了日時」に日時が格納されているオークションが終了したことを示す。また、「終了日時」に日時が格納されている場合には、現在価格が落札価格に該当する。
【００８３】
例えば、図８では、商品ＩＤ「Ｇ０１」によって識別される商品は、商品名が「ＡＡＡ」であり、商品カテゴリが「自動車」である例を示している。また、図８では、商品ＩＤ「Ｇ０１」によって識別される商品には、入札者ＩＤ「Ｕ１１」で識別されるユーザが、「３０００００円」で入札し、終了日時「２０１４年９月１３日１０時００分」をもって終了したことを示している。また、商品ＩＤ「Ｇ０１」によって識別される商品には、即決価格「５０００００円」が設定されていたことを示している。また、図８では、商品ＩＤ「Ｇ０１」に関するオークションが終了しており、商品ＩＤ「Ｇ０２」〜「Ｇ０７」に関するオークションが開催中である例を示している。
【００８４】
なお、商品情報記憶部３２に記憶される情報は、図８に示した例に限られない。例えば、商品情報記憶部３２は、落札することができる最小価格を示す「最低落札価格」などを記憶してもよい。「即決価格」や、「最低落札価格」は、例えば、出品者により設定される。また、商品情報記憶部３２に記憶される情報には、ユーザ毎の入札回数や、現在価格に対して、どのくらい上の金額を設定して新たに入札したかなどの入札価格差を示す情報が記憶されてもよい。また、図８においては、商品情報記憶部３２は、商材のうち、商品に関する情報を記憶する例を示したが、商品情報記憶部３２は、商材の一例として、サービスに関する情報を記憶してもよい。
【００８５】
（制御部３３について）
制御部３３は、例えば、ＣＰＵやＭＰＵ等によって、オークションサーバ３０内部の記憶装置に記憶されている各種プログラムがＲＡＭを作業領域として実行されることにより実現される。また、制御部３３は、例えば、ＡＳＩＣやＦＰＧＡ等の集積回路により実現される。
【００８６】
図７に示すように、制御部３３は、受付部３４と、送信部３５とを有し、以下に説明する情報処理の機能や作用を実現または実行する。なお、制御部３３の内部構成は、図７に示した構成に限られず、後述する情報処理を行う構成であれば他の構成であってもよい。また、制御部３３が有する各処理部の接続関係は、図７に示した接続関係に限られず、他の接続関係であってもよい。
【００８７】
（受付部３４について）
受付部３４は、オークションサイトにおける商品の出品や、出品された商品への入札等を受け付ける。受付部３４は、商品の出品を受け付けた場合、商品の情報を商品情報記憶部３２に記憶する。
【００８８】
（送信部３５について）
送信部３５は、オークションサイトにおけるユーザの行動情報を送信する。例えば、送信部３５は、受付部３４が受け付けた商品への入札や落札に係る行動情報を広告装置１００に送信する。この場合、送信部３５は、ユーザの行動情報に含まれる購買対象である商品に関する情報についても、商品情報記憶部３２を参照し、適宜送信するものとする。
【００８９】
〔４．抽出処理手順〕
次に、図９を用いて、実施形態に係る抽出処理システム１による抽出処理の手順について説明する。図９は、実施形態に係る抽出処理システム１による抽出処理手順の一例を示すシーケンス図である。
【００９０】
図９に示すように、広告主端末２０は、広告コンテンツを広告装置１００に入稿する（ステップＳ１０１）。広告装置１００は、入稿された広告コンテンツを所定の記憶部に格納する。
【００９１】
そして、ユーザ端末１０は、オークションサーバ３０が提供するオークションサイトにアクセスする（ステップＳ１０２）。オークションサーバ３０は、オークションサイトにおけるユーザ端末１０の行動情報を広告装置１００に送信する（ステップＳ１０３）。
【００９２】
広告装置１００は、オークションサーバ３０から取得した行動情報を蓄積する（ステップＳ１０４）。そして、広告装置１００は、蓄積した行動情報に基づいて、ユーザの特徴情報を生成する（ステップＳ１０５）。
【００９３】
その後、ユーザ端末１０は、ウェブサーバ４０が提供するポータルサイト等のウェブサイトへアクセスする（ステップＳ１０６）。ウェブサーバ４０は、ユーザ端末１０のアクセスに対応し、ポータルサイト等を構成するウェブページをユーザ端末１０に送信する（ステップＳ１０７）。ユーザ端末１０は、ウェブページに含まれる広告枠に表示する広告コンテンツを取得するために、広告装置１００に広告配信を要求する（ステップＳ１０８）。
【００９４】
そして、広告装置１００は、ユーザ端末１０から送信された広告配信の要求に含まれるユーザ端末１０の識別情報に従い、広告配信の要求を送信したユーザ端末１０の特徴情報を特定する。そして、広告装置１００は、特定された特徴情報と、保持している広告コンテンツのコンテンツ情報との類似度に基づいて、広告コンテンツを抽出する（ステップＳ１０９）。
【００９５】
そして、広告装置１００は、抽出された広告コンテンツをユーザ端末１０に配信する（ステップＳ１１０）。ユーザ端末１０は、ウェブページ内の広告枠に、配信された広告コンテンツを表示する（ステップＳ１１１）。
【００９６】
次に、図１０及び図１１を用いて、実施形態に係る広告装置１００による生成処理及び抽出処理の手順について説明する。以下においては、図１０を参照して広告装置１００による生成処理手順を説明し、図１１を参照して広告装置１００による抽出処理手順を説明する。
【００９７】
まず、図１０を用いて、実施形態に係る広告装置１００による生成処理手順について説明する。図１０は、実施形態に係る広告装置１００による生成処理手順を示すフローチャートである。
【００９８】
図１０に示すように、取得部１３２は、オークションサーバ３０からユーザの行動情報を取得したか否かを判定する（ステップＳ２０１）。そして、取得部１３２は、ユーザの行動情報を取得していない場合には（ステップＳ２０１；Ｎｏ）、取得するまで待機する。
【００９９】
一方、ユーザの行動情報を取得した場合には（ステップＳ２０１；Ｙｅｓ）、取得部１３２は、取得した行動情報を行動情報記憶部１２２に蓄積する（ステップＳ２０２）。そして、生成部１３３は、蓄積した行動情報に基づいて、ユーザの特徴情報を生成する（ステップＳ２０３）。そして、生成部１３３は、生成した特徴情報を、ユーザの識別情報と対応付けて、特徴情報記憶部１２３に格納する（ステップＳ２０４）。以上により、広告装置１００による生成処理は完了する。
【０１００】
次に、図１１を用いて、実施形態に係る広告装置１００による抽出処理手順を説明する。図１１は、実施形態に係る広告装置１００による抽出処理手順を示すフローチャートである。
【０１０１】
図１１に示すように、要求受付部１３４は、ユーザ端末１０から、広告配信の要求を受け付けたか否かを判定する（ステップＳ３０１）。そして、要求受付部１３４は、広告配信の要求を受け付けていない場合（ステップＳ３０１；Ｎｏ）、受け付けるまで待機する。
【０１０２】
一方、広告配信を受け付けた場合（ステップＳ３０１；Ｙｅｓ）、要求受付部１３４は、広告配信に関する要求を抽出部１３５に渡す。また、要求受付部１３４は、広告配信の要求とともに、ユーザの識別情報を抽出部１３５に渡す。
【０１０３】
抽出部１３５は、ユーザの識別情報に基づいて、ユーザに対応する特徴情報を特徴情報記憶部１２３が保持しているか否かを判定する（ステップＳ３０２）。そして、抽出部１３５は、広告配信の要求を送信したユーザ端末に対応する特徴情報が保持されていない場合（ステップＳ３０２；Ｎｏ）には、以下に説明するステップＳ３０３をスキップする。
【０１０４】
一方、抽出部１３５は、広告配信の要求を送信したユーザ端末に対応する特徴情報が保持されている場合（ステップＳ３０２；Ｙｅｓ）、保持している広告コンテンツのコンテンツ情報と、かかるユーザに対応する特徴情報との類似度を算出する（ステップＳ３０３）。
【０１０５】
そして、抽出部１３５は、類似度を算出した場合には、算出した類似度に基づいて、ユーザに対応する広告コンテンツを抽出する（ステップＳ３０４）。なお、抽出部１３５は、類似度を算出しなかった場合には、一般的な広告引き当ての手順に従い、広告配信の要求を送信したユーザに対応する広告コンテンツを抽出する。そして、配信部１３６は、抽出部１３５により抽出された広告コンテンツをユーザ端末１０に配信する（ステップＳ３０５）。以上により、広告装置１００による抽出処理は完了する。
【０１０６】
〔５．変形例〕
上述した広告装置１００は、上記実施形態以外にも種々の異なる形態にて実施されてよい。そこで、以下では、広告装置１００の他の実施形態について説明する。
【０１０７】
〔５−１．学習〕
上述した実施形態に係る抽出処理において、取得部１３２は、ユーザ端末１０がオークションサーバ３０の提供するウェブサイトにアクセスした場合におけるユーザ情報を取得する例を示した。しかし、取得部１３２は、ユーザ端末１０がオークションサーバ３０の提供するウェブサイトにアクセスする場合に限らず、ユーザ端末１０に対応するユーザ情報を取得してもよい。
【０１０８】
例えば、取得部１３２は、抽出部１３５が抽出した広告コンテンツがユーザ端末１０に配信された後に、かかるユーザ端末１０から送信される行動情報を取得する。例えば、取得部１３２は、かかるユーザ端末１０が、配信された広告コンテンツをクリックした率を示す指標であるＣＴＲや、配信された広告コンテンツによって広告主に何らかの利益をもたらす行動を実行したか（すなわち、コンバージョンに至ったか）などの情報を取得する。そして、取得部１３２は、広告効果が相対的に高く測定された広告コンテンツに関して、かかる広告コンテンツを抽出する契機となったキーワードに関する情報を取得する。そして、取得部１３２は、取得した情報を生成部１３３に渡す。
【０１０９】
そして、生成部１３３は、特徴情報記憶部１２３に記憶されている特徴情報に関して、取得部１３２が取得したキーワードに係る情報に基づいて、ユーザ端末１０に対応する特徴情報を更新する。すなわち、生成部１３３は、保持されている特徴情報について、高い広告効果が測定された広告コンテンツを抽出させる契機となったキーワードに対して指標値を高く算出し直し、かかる指標値によって重み付けされた特徴情報に更新する。
【０１１０】
そして、抽出部１３５は、新たにかかるユーザ端末１０から広告配信の要求があった場合には、更新された特徴情報に基づいて広告コンテンツを抽出する。
【０１１１】
このように、広告装置１００は、広告コンテンツを抽出した後であっても、配信した広告コンテンツの広告効果を示す指標値を取得し、取得した広告効果を示す指標値に基づいて特徴情報を更新することができる。言い換えれば、広告装置１００は、上述した生成処理及び抽出処理に関して、結果を反映した機械学習を繰り返すことにより、より適切な広告コンテンツ（すなわち、広告効果の高い広告コンテンツ）を抽出できるような特徴情報を生成することができる。これにより、広告装置１００は、ユーザに対応する適切な広告コンテンツを抽出する精度をより高めていくことができる。
【０１１２】
〔５−２．指標値〕
上述した実施形態に係る生成処理において、生成部１３３は、オークションサイトにおけるユーザの購入に至る段階に関する情報に基づいて、キーワード毎の指標値を算出する例を示した。しかし、上記の例に限られず、生成部１３３は、さらに異なる情報を用いてキーワードの重み付けを示す指標値を算出してもよい。
【０１１３】
例えば、生成部１３３は、オークションサイトにおける、ユーザ端末１０の特定の商品に関するユーザ端末１０の入札回数に基づいて、対応するキーワードの指標値を算出してもよい。オークションサイトにおいては、競売が繰り返されるため、同一ユーザが、複数回にわたって、同一商品に入札を繰り返すことが想定される。取得部１３２は、オークションサイトにおける、ユーザの上記のような入札行動の回数に関する情報を適宜取得する。そして、生成部１３３は、取得部１３２が取得した情報に基づいて、キーワード毎の指標値を算出する。これにより、生成部１３３は、より購買意欲が高いと想定される商品に対応するキーワードについて重み付けが重くされた、よりユーザの特徴を示す特徴情報を生成することができる。このため、抽出部１３５は、よりユーザに適した広告コンテンツを抽出することができる。
【０１１４】
なお、取得部１３２は、オークションに関して、さらに異なる情報を取得してもよい。例えば、取得部１３２は、ユーザが入札に際して設定する入札価格についての情報を取得する。オークションにおいて、特定の商品の現在価格に対して、比較的高い金額を提示してオークションに入札を行ったユーザは、かかる商品に対する購買意欲が他のユーザに比べて高いことが想定される。この場合、生成部１３３は、現在価格と入札価格との差に関する情報を、重み付けを算出する要素として用いる。これにより、生成部１３３は、よりユーザの購買意欲に沿った特徴情報を生成することができる。また、生成部１３３は、ユーザが類似する商品に同時に入札しているか否かや、ウォッチリストに類似する商品を登録しているか否かなどの情報に基づいて、重み付けを示す指標値を算出してもよい。例えば、生成部１３３は、多数入札している類似する商品群から抽出されるキーワードについては、重み付けが重くなるように、高い指標値を設定する。
【０１１５】
〔５−３．データの取得〕
上述した実施形態に係る抽出処理において、取得部１３２は、ユーザ端末１０がオークションサーバ３０及びウェブサーバ４０の提供するウェブサイトにアクセスした場合におけるユーザ情報を取得する例を示した。しかし、取得部１３２は、ユーザ端末１０がオークションサーバ３０及びウェブサーバ４０の提供するウェブサイトにアクセスする場合に限らず、ユーザ端末１０からユーザ情報を取得することもある。この点について、以下に説明する。
【０１１６】
上述のように、実施形態に係る取得部１３２は、オークションサーバ３０及びウェブサーバ４０の提供するウェブサイトに埋め込まれたウェブビーコンのような通知機能を利用することにより、ユーザ端末１０からユーザ情報を取得してもよい。
【０１１７】
また、取得部１３２は、ユーザ端末１０がアクセスしたウェブサイトが、広告装置１００を管理する管理装置（例えば、広告装置１００に対するフロントエンドサーバ）と同じ管理装置に管理される所定のウェブサーバから提供されている場合、取得部１３２は、ユーザ端末１０からユーザ情報を取得することができる。すなわち、ユーザ端末１０は、管理装置に管理される所定のウェブサーバが提供するウェブサイトにアクセスする際、ユーザ端末１０のユーザ情報を上記管理装置に送信する。これは、ユーザ端末１０が管理装置にクッキーを送信することなどにより実現される。この場合、ユーザ端末１０の送信したユーザ情報は、管理装置を介して、広告装置１００の備える取得部１３２に送信される。これにより、取得部１３２は、オークションサーバ３０及びウェブサーバ４０を介することなく、ユーザ端末１０のユーザ情報を取得することができる。なお、取得部１３２は、取得したユーザ情報については、上述したユーザ端末１０から送信されるクッキーや、あるいは、ユーザ端末１０に予め設定されているデバイスＩＤを照合すること等により、ユーザ情報に係る各ユーザ端末１０を識別することができる。
【０１１８】
なお、取得されたユーザ情報は、広告配信に利用される態様に限られず、他の様々な用途に利用されてもよい。例えば、広告装置１００が取得したユーザ情報は、広告装置１００が保持するユーザリスト等に基づいて、新たなユーザの獲得のためのコンテンツ配信（例えば、抽出されたユーザへのメール配信など）に利用されてもよい。
【０１１９】
〔５−４．広告主から受け付ける条件〕
上述した実施形態では、入稿受付部１３１は、広告主から広告カテゴリや広告キーワードとともに広告コンテンツを受け付ける例を示した。しかし、入稿受付部１３１は、さらに異なる情報とともに広告コンテンツの入稿を受け付けてもよい。
【０１２０】
例えば、入稿受付部１３１は、広告主から、広告コンテンツの配信希望数や、１回あたりの広告コンテンツの配信金額や、ＣＰＡ（Cost  Per  Acquisition）の指定を受け付けてもよい。ＣＰＡは、広告コンテンツによってコンバージョンにつながった（新規顧客を獲得した）場合における、新規顧客の獲得人数あたりの費用を示す。ＣＰＡは、広告費用をコンバージョン数で除算することで求められ、ＣＰＡの値が低いほど、広告の効率がよいことを意味している。
【０１２１】
この場合、抽出部１３５は、広告主から受け付けた各種条件についても判定しつつ、広告コンテンツを抽出するようにしてもよい。例えば、抽出部１３５は、所定の条件に従い、コンバージョンに至ると予測される対象のユーザと、広告コンテンツのコンテンツ情報との類似度に関する閾値の設定を適宜変更することにより、抽出される広告コンテンツを調整してもよい。
【０１２２】
〔５−５．商取引サービスの態様〕
上述した実施形態では、取得部１３２は、商取引を提供するウェブサイト（例えば、オークションサイト）にユーザ端末１０がアクセスした際の行動情報を取得する例を示した。ここで、取得部１３２が取得する情報は、商取引サービスを提供するウェブサイトの行動情報に限られない。例えば、オークションサイトなど通信ネットワークを介した商取引サービスは、主としてスマートデバイス用に開発されるアプリ（App）によって提供される場合がある。取得部１３２は、上述した実施形態と同様に、ネットワークを介して、かかるアプリで提供されるサービスにおけるユーザの行動情報を取得してもよい。そして、抽出部１３５は、取得部１３３により取得されたユーザの行動履歴に基づいて、ユーザに配信される所定のコンテンツを抽出することができる。すなわち、上述した実施形態でいう「通信ネットワークを介して提供される商取引サービス」とは、ウェブブラウザを介して提供されるサービスサイトのみならず、アプリ内で提供されるサービスや、その他通信ネットワークを介して提供される商取引サービス全般を含む概念である。
【０１２３】
〔５−６．特徴情報〕
上述した実施形態では、生成部１３３は、ユーザの行動履歴から抽出されるキーワード毎に所定の指標値を設定し、設定された指標値によって重み付けされたユーザの特徴情報を生成し、生成した特徴情報を特徴情報記憶部１２３に格納する例を示した。ここで、生成部１３３は、特徴情報記憶部１２３に格納する特徴情報は、重み付けされた特徴情報ではなく、ユーザの行動情報と、行動情報の重みを算出するための情報(例えば、行動日時など)であってもよい。この場合、生成部１３３は、要求受付部１３４から広告配信の要求があったタイミングで、上述したような重み付けされたユーザの特徴情報を生成する。これにより、生成部１３３は、ユーザからの広告配信要求があったときからどのくらい前の時点で行われた行動情報であるかを判定して重み付けされた特徴情報を生成することができる。
【０１２４】
〔６．ハードウェア構成〕
また、上述してきた実施形態に係る広告装置１００は、例えば図１２に示すような構成のコンピュータ１０００によって実現される。以下、広告装置１００を例に挙げて説明する。図１２は、広告装置１００の機能を実現するコンピュータ１０００の一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１２５】
ＣＰＵ１１００は、ＲＯＭ１３００又はＨＤＤ１４００に記憶されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を記憶する。
【０１２６】
ＨＤＤ１４００は、ＣＰＵ１１００によって実行されるプログラム、及び、かかるプログラムによって使用されるデータ等を記憶する。通信インターフェイス１５００は、通信網５００（図２に示したネットワークＮに対応）を介して他の機器からデータを受信してＣＰＵ１１００へ送り、ＣＰＵ１１００が生成したデータを通信網５００を介して他の機器へ送信する。
【０１２７】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、入出力インターフェイス１６００を介して生成したデータを出力装置へ出力する。
【０１２８】
メディアインターフェイス１７００は、記録媒体１８００に記憶されたプログラム又はデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１２９】
例えば、コンピュータ１０００が実施形態に係る広告装置１００として機能する場合、コンピュータ１０００のＣＰＵ１１００は、ＲＡＭ１２００上にロードされたプログラムを実行することにより、制御部１３０の機能を実現する。また、ＨＤＤ１４００には、記憶部１２０内のデータが記憶される。コンピュータ１０００のＣＰＵ１１００は、これらのプログラムを記録媒体１８００から読み取って実行するが、他の例として、他の装置から通信網５００を介してこれらのプログラムを取得してもよい。
【０１３０】
〔７．その他〕
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１３１】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、図３に示した取得部１３２と、生成部１３３とは統合されてもよい。また、例えば、記憶部１２０に記憶される情報は、ネットワークＮを介して、外部に備えられた記憶装置に記憶されてもよい。
【０１３２】
また、例えば、上記実施形態では、広告装置１００が、ユーザの特徴情報を生成する生成処理と、配信される広告コンテンツを抽出する抽出処理と、広告コンテンツを配信する配信処理とを行う例を示した。しかし、上述した広告装置１００は、生成処理を行う生成装置と、抽出処理を行う抽出装置と、配信処理を行う配信装置とに分離されてもよい。この場合、生成装置は、取得部１３２と、生成部１３３とを有する。また、抽出装置は、入稿受付部１３１と、抽出部１３５とを有する。また、配信装置は、入稿受付部１３１と、要求受付部１３４と、配信部１３６とを有する。
【０１３３】
また、上述してきた各実施形態は、処理内容を矛盾させない範囲で適宜組み合わせることが可能である。
【０１３４】
〔８．効果〕
上述してきたように、実施形態に係る広告装置１００は、ユーザに関する情報のうち、オークションサイトなどの商取引サービスを提供するウェブサイト（通信ネットワークを介して提供される商取引サービスの一例）において、ユーザによって特定の商材が購入対象の候補として登録された行動履歴を取得する取得部１３２と、取得部１３２により取得されたユーザの行動履歴に基づいて、ユーザに配信される広告コンテンツ（コンテンツの一例）を抽出する抽出部１３５とを備える。
【０１３５】
このように、実施形態に係る広告装置１００は、一般的なターゲティング広告で利用されている、ユーザの属性情報や、ユーザのウェブサイトの閲覧情報などに加えて、オークションサイトなど商取引サイトにおける入札などの行動履歴から抽出される情報を用いて、広告コンテンツを抽出する。これにより、広告装置１００は、ユーザに対して訴求効果の高いコンテンツを抽出する精度を向上させることができる。
【０１３６】
また、実施形態に係る広告装置１００は、取得部１３２によって取得されたユーザの行動履歴から抽出されるキーワードに基づいて、ユーザの特徴を示す特徴情報を生成する生成部１３３をさらに備える。そして、抽出部１３５は、生成部１３３によって生成されたユーザの特徴情報と、広告コンテンツに設定されるコンテンツ情報との類似度に基づいて、ユーザに配信される広告コンテンツを抽出する。
【０１３７】
このように、実施形態に係る広告装置１００は、オークションサイトなど商取引サイトにおける入札などの行動履歴から抽出される情報を用いてユーザの特徴情報を生成する。そして、広告装置１００は、生成されたユーザの特徴情報と、コンテンツ情報との類似度を算出し、算出した類似度に基づいて広告コンテンツを抽出するので、ユーザに対して訴求効果の高いコンテンツを抽出する精度を向上させることができる。
【０１３８】
また、生成部１３３は、ユーザの行動履歴から抽出されるキーワード毎に所定の指標値を設定し、設定された指標値によって重み付けされたユーザの特徴情報を生成する。
【０１３９】
このように、実施形態に係る広告装置１００は、ユーザの実際の行動に対応して重み付けされたキーワードを利用するので、よりユーザの特徴を適切に示した特徴情報を生成することができる。
【０１４０】
また、生成部１３３は、ユーザの行動履歴のうち、直近の情報から抽出されるキーワードほど数値が高くなるよう所定の指標値を設定し、設定された指標値によって重み付けされたユーザの特徴情報を生成する。
【０１４１】
このように、実施形態に係る広告装置１００は、時間情報を加えたユーザの実際の行動に対応して重み付けされたキーワードを利用する。すなわち、広告装置１００は、ユーザに強い購買意欲が生じたと想定される情報に基づき重み付けされたキーワードにより特徴情報を生成することができる。
【０１４２】
また、生成部１３３は、ユーザによって購入対象の候補として登録された商材に設定されている情報から抽出されるキーワードに基づいて、ユーザの特徴情報を生成する。
【０１４３】
このように、実施形態に係る広告装置１００は、ユーザが購買意欲を持つ商材そのものに加えて、商材に設定されている情報をもとにキーワードを抽出する。このため、広告装置１００は、ユーザの特徴情報を生成する要素を数多く抽出することができるので、一般的なウェブ閲覧履歴などの行動情報に比べて、多くの情報を用いて広告コンテンツの抽出を実行することができる。
【０１４４】
また、生成部１３３は、ユーザによって購入対象の候補として登録された商材に設定されている情報から抽出されるキーワードのうち、予め決められた特定の単語を除いたキーワードに基づいて、ユーザの特徴情報を生成する。
【０１４５】
このように、実施形態に係る広告装置１００は、商材から抽出されるキーワードであっても、ユーザの特徴を示すことが想定されないキーワードを特徴情報から除外できるので、よりユーザの特徴を適切に示した特徴情報を生成することができる。
【０１４６】
また、生成部１３３は、ユーザの行動履歴に含まれる情報であって、ユーザが購入に至るまでの段階を示す情報を用いて、ユーザの特徴情報を生成する。
【０１４７】
これにより、実施形態に係る広告装置１００は、ユーザの行動の実態に即してユーザの特徴を表現することができる。このため、広告装置１００は、ユーザの購買意欲に則した特徴情報を生成することができる。
【０１４８】
また、抽出部１３５は、広告コンテンツに設定されるコンテンツ情報のうち、広告コンテンツに設定されたカテゴリ、又は広告コンテンツを説明する説明文から抽出されるキーワードを用いて、ユーザに配信される広告コンテンツを抽出する。
【０１４９】
これにより、実施形態に係る広告装置１００は、ユーザの行動情報から抽出されたキーワードにより生成される特徴情報と、広告コンテンツとの類似度を適切に算出することができる。一例として、広告装置１００は、ユーザの特徴情報と、キーワードに基づくコンテンツ情報とのコサイン類似度を算出することができる。このため、広告装置１００は、特徴情報とコンテンツ情報との客観的な類似性に基づいて広告コンテンツを抽出できるので、ユーザに対して広告効果の高い広告コンテンツを抽出する精度を向上させることができる。
【０１５０】
また、取得部１３２は、ユーザの行動履歴として、所定のオークションサイトにおける商材への入札、商材の落札、及び商材の入札候補への登録を示す情報の少なくとも一つを取得する。抽出部１３５は、取得部１３２によって取得された情報のうち、オークションサイトにおける商材への入札、商材の落札、及び商材の入札候補への登録を示す情報の少なくとも一つを用いて、ユーザに配信される広告コンテンツを抽出する。
【０１５１】
このように、実施形態に係る広告装置１００は、ユーザがオークションサイトを利用している場合においては、入札や落札などの、購入に至る段階を示した情報を用いて広告コンテンツを抽出する。これにより、広告装置１００は、ユーザの高い購買意欲を示す情報に基づいて、広告コンテンツを抽出することができる。
【０１５２】
また、取得部１３２は、ユーザの行動履歴として、所定のオークションサイトにおける商材への入札、商材の落札、及び商材の入札候補への登録を示す情報の少なくとも一つを取得する。生成部１３３は、取得部１３２によって取得された情報のうち、オークションサイトにおける商材への入札、又は商材の入札候補への登録に対応する行動履歴から抽出されるキーワードには、商材の落札に対応する行動履歴から抽出されるキーワードに比べて高い数値の指標値を設定し、設定された指標値によって重み付けされたキーワードを用いて、ユーザの特徴情報を生成する。
【０１５３】
すなわち、実施形態に係る広告装置１００は、商材への入札や、ウォッチリストへの登録から抽出されるキーワードについては、落札から抽出されるキーワードよりも高い重み付けを設定する。これにより、広告装置１００は、ユーザの購買段階に関する情報を利用して、よりユーザの意思を反映した特徴情報を生成することができる。
【０１５４】
また、実施形態に係る広告装置１００は、ユーザに対応するユーザ端末１０から広告コンテンツの配信要求を受け付ける要求受付部１３４と、要求受付部１３４によって受け付けられた広告コンテンツの配信要求を送信したユーザ端末１０に、抽出部１３５によって抽出された広告コンテンツを配信する配信部１３６とをさらに備える。
【０１５５】
これにより、実施形態に係る広告装置１００は、ユーザの興味関心に沿って抽出された広告コンテンツをユーザに配信することができるので、広告コンテンツの広告効果を向上させることができる。
【０１５６】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１５７】
また、上述してきた「部（section、module、unit）」は、「手段」や「回路」などに読み替えることができる。例えば、取得部は、取得手段や取得回路に読み替えることができる。
【符号の説明】
【０１５８】
１  抽出処理システム
１０  ユーザ端末
２０  広告主端末
３０  オークションサーバ
４０  ウェブサーバ
１００  広告装置
１１０  通信部
１２０  記憶部
１２１  広告情報記憶部
１２２  行動情報記憶部
１２３  特徴情報記憶部
１３０  制御部
１３１  入稿受付部
１３２  取得部
１３３  生成部
１３４  要求受付部
１３５  抽出部
１３６  配信部
【図１】
2018088282.tif 000003
【図２】
2018088282.tif 000004
【図３】
2018088282.tif 000005
【図４】
2018088282.tif 000006
【図５】
2018088282.tif 000007
【図６】
2018088282.tif 000008
【図７】
2018088282.tif 000009
【図８】
2018088282.tif 000010
【図９】
2018088282.tif 000011
【図１０】
2018088282.tif 000012
【図１１】
2018088282.tif 000013
【図１２】
2018088282.tif 000014